(57)【特許請求の範囲】
【請求項１】
水を貯留する貯水皿と、該貯水皿の貯留水を含侵し、通気中に放出する加湿フィルタと、軸長方向一側の端部に設けた給水口を下向きとして前記貯水皿に連設された保持部に保持され、前記貯水皿に収容水を送り込む筒形の給水タンクとを備える加湿器において、
前記給水タンクの側面に設けた凹部の底面に開設された補給水口と、
該補給水口を開閉する蓋体と、
前記凹部の開口周縁部を前記保持部との間で液密に封止する封止部材と
を備えることを特徴とする加湿器。
【請求項２】
前記給水タンクは、他側端部に揺動可能に取り付けてあり、該他側端部を下とする縦姿勢及び前記側面を上とする横姿勢での支持脚を兼ねる把手を備えることを特徴とする請求項１に記載の加湿器。
【発明の詳細な説明】
【技術分野】
【０００１】
本発明は、水を含侵した加湿フィルタに空気を通し、該加湿フィルタの下流側に送り出すように構成された加湿器に関する。
【背景技術】
【０００２】
近年、室内の空気に適正な湿度を与えるための加湿器が広く用いられており、特に、水の蒸発を伴わずに加湿を実現する気化式の加湿器は、室内温度に影響を与えずに湿度調節をなし得ることから、その普及が拡大している。
【０００３】
気化式の加湿器は、吸気口と送気口とを結ぶ送風路の内部に、水を含侵させた加湿フィルタを送風ファンと共に配し、該送風ファンの動作により吸気口から送風路内に導入される空気を前記加湿フィルタに通し、該加湿フィルタの下流側に送り出される気化水分を含む湿り空気を送気口を経て送り出すように構成されている。
【０００４】
加湿フィルタは、高い含水性を有し、通気が可能な材料（不織布等）製のシートを蛇腹状に折り重ねて構成され、貯水皿に下部を浸漬させ、該貯水皿の貯留水を吸い上げて気化により失われた水分を補充するようにしてある。貯水皿の一側には、給水タンクが装着してあり、貯水皿には、加湿フィルタの吸い上げによる水位の低下に応じて給水タンク内の水が逐次導入され、常時定量の水が貯留されるように構成してある。
【０００５】
給水タンクは、筒形の中空容器であり、一側の端部に開設された給水口を有している。給水口には、止水弁を備える止水蓋が取り付けてあり、給水タンクは、貯水皿の一側に連設された保持部に給水口を下向きとした縦姿勢で保持される。このとき止水弁は、保持部に設けた突起により押し上げられて開放され、給水タンク内の水は、止水弁を通って貯水皿に送り込まれる。
【０００６】
給水タンク内の水が減少した場合、使用者は、保持部から給水タンクを外し、止水蓋を取り外した給水口を水道の蛇口に対向させて水を補給する。この補給は、例えば、蛇口を備えるシンクの底面上に、給水口を上向きとした起立姿勢で給水タンクを支えることで安定して実施し得るが、蛇口と底面との間の離隔距離が十分でなく、蛇口と給水口とを対向させ得ない場合がある。この場合、使用者は、給水タンクを手で支え、不安定な補給作業を強いられるという問題がある。
【０００７】
特許文献１においては、角筒状をなす給水タンクの他側（給水口と反対側）の角部を斜めにカットした平坦部を設け、この平坦部を利用することにより、給水口の位置を下げた斜め姿勢での支持を可能として上記の問題の解消を図っている。更に、給水タンクを持ち運ぶための把手を利用し、この把手と前記平坦部とにより斜め姿勢での安定した支持が可能であるとされている。
【先行技術文献】
【特許文献】
【０００８】
【特許文献１】特開２００２ー３４９９１１号公報
【発明の開示】
【発明が解決しようとする課題】
【０００９】
しかしながら、特許文献１に開示された給水タンクにおいては、平坦部を利用した斜め支持による給水口の位置変化が限定的であり、広範な使用状況下での補給作業の安定化を図ることは難しい。
【００１０】
例えば、以上の如き加湿器は、一般家庭だけでなく、ホテルの客室においても広く使用されている。このような使用状況下での給水タンクへの水の補給は、客室に付設された洗面所で実施されるが、蛇口と洗面ボウルの底面との離隔距離が小さい上、洗面ボウルの底面は平坦でないことから、特許文献１に開示された給水タンクを使用したとしても安定した支持状態での補給作業を実現することは難しい。
【００１１】
本発明は斯かる事情に鑑みてなされたものであり、種々の使用状況下での給水タンクへの水補給を安定して実施し得る加湿器を提供することを目的とする。
【課題を解決するための手段】
【００１２】
本開示の一実施形態に係る加湿器は、水を貯留する貯水皿と、該貯水皿の貯留水を含侵し、通気中に放出する加湿フィルタと、軸長方向一側の端部に設けた給水口を下向きとして前記貯水皿に連設された保持部に保持され、前記貯水皿に収容水を送り込む筒形の給水タンクとを備える加湿器において、前記給水タンクの側面に設けた凹部の底面に開設された補給水口と、該補給水口を開閉する蓋体と、前記凹部の開口周縁部を前記保持部との間で液密に封止する封止部材とを備える。
【００１６】
更に前記給水タンクは、他側端部に揺動可能に取り付けてあり、該他側端部を下とする縦姿勢及び前記側面を上とする横姿勢での支持脚を兼ねる把手を備える。
【発明の効果】
【００１７】
本開示の実施形態においては、給水タンクへの水補給を、種々の使用状況下で安定して行わせることができる。
【図面の簡単な説明】
【００１８】
【図１】実施の形態に係る加湿器の外観斜視図である。
【図２】実施の形態に係る加湿器の概略構成を示す側断面図である。
【図３】加湿フィルタの支持構造を示す要部破断正面図である。
【図４】加湿フィルタの支持構造を示す斜視図である。
【図５】給水タンクの平面図である。
【図６】図５のVI−VI線による給水タンクの縦断面図である。
【図７】給水タンクの保持状態の説明図である。
【図８】給水タンクへの水の補給方法の説明図である。
【図９】給水タンクへの水の補給方法の説明図である。
【図１０】参考形態１の加湿器における給水タンクの保持状態の説明図である。
【図１１】参考形態２の加湿器における給水タンクの保持状態の説明図である。
【図１２】参考形態２の給水タンクへの水の補給方法の説明図である。
【発明を実施するための形態】
【００１９】
図１は、実施の形態に係る加湿器の外観斜視図、図２は、実施の形態に係る加湿器の概略構成を示す側断面図である。なお、図２は正面を左、背面を右として示してあり、図１は、背面側（図２の右側）から見た斜視図である。
【００２０】
図２に示すように加湿器は、矩形箱形のハウジング１の内部に、送風ファン２、加湿フィルタ３及び貯水皿４を備えている。ハウジング１の内部は、隔壁１１により背面側の吸込室１２と正面側の吐出室１３とに分割されている。吸込室１２は、ハウジング１の背面を覆う背面パネル１４に開設された複数の吸気口１５を介して外部に連通し、また吐出室１３は、ハウジング１の天板に開設された送気口１６を介して外部に連通しており、吸込室１２と吐出室１３とは、隔壁１１の下部に開設された通気口１１ａにより連通されている。
【００２１】
背面パネル１４は着脱可能であり、該背面パネル１４の内側には、脱臭フィルタ１７及び集塵フィルタ１８が積層配置されている。脱臭フィルタ１７は、例えば、不織布に活性炭を分散保持させてなり、通気中の臭い成分を吸着除去する作用をなす。集塵フィルタ１８は、例えば、ＨＥＰＡ（High Efficiency Particulate Air ）フィルタであり、通気中に含まれる微細な塵埃を捕集除去する作用をなす。脱臭フィルタ１７及び集塵フィルタ１８は、樹脂製の枠体１７ａ，１８ａに各別に保持され、背面パネル１４の内側に設けたフィルタ室に、着脱可能に嵌め込み保持されている。図１には、背面パネル１４、脱臭フィルタ１７及び集塵フィルタ１８を取り外して示してある。
【００２２】
送風ファン２は、羽根車２０と、該羽根車２０を駆動するファンモータ２１とを備えている。ファンモータ２１は、吐出室１３の正面壁に固定支持されている。羽根車２０は、吐出室１３の内側に突出するファンモータ２１の出力端に固定され、隔壁１１下部の通気口１１ａに対向配置してある。送風ファン２の羽根車２０は、ファンモータ２１の駆動により回転する。
【００２３】
羽根車２０が回転した場合、図２中に白抜矢符により示すように、吸気口１５を経て吸込室１２の内部に外気が導入される。導入された外気は、脱臭フィルタ１７及び集塵フィルタ１８の通過により臭い成分、塵埃を除去された清浄な空気となり、通気口１１ａを経て羽根車２０に吸い込まれ、上向きに方向を変えて吐出室１３に導出されて送気口１６を経て外部に送り出される。
【００２４】
吐出室１３には、イオン発生器１９が設けてある。イオン発生器１９は、例えば、空気中の酸素及び水を放電によりイオン化し、Ｈ+ （Ｈ2 Ｏ）m （ｍは任意の整数）等の正イオン、及びＯ2-（Ｈ2 Ｏ）n （ｎは任意の整数）等の負イオンを発生するように構成されている。イオン発生器９が発生するイオンは、吐出室１３内の通気と共に送出され、送出空間中に浮遊する細菌及びウィルスの表面に取り付き、これらを殺菌又は不活性化する機能を果たす。
【００２５】
図示の加湿器は、脱臭フィルタ１７、集塵フィルタ１８及びイオン発生器１９の配置により、空気清浄器としても機能する。なおイオン発生器１９は、冷却した電極上の結露に高電圧を印加し、霧状の帯電した水粒子を発生させる構成等、公知の適宜の構成を採用することができる。
【００２６】
加湿フィルタ３及び貯水皿４は、以上のようにハウジング１内を流れる空気を加湿すべく、脱臭フィルタ１７及び集塵フィルタ１８と送風ファン２との間に配置してある。
【００２７】
貯水皿４は、開口側を上向きとしてハウジング１の底板上に載置されている。図１に示すように貯水皿４は、ハウジング１の一側から外部に引き出すことが可能であり、引き出し側の端部には、広幅の保持部４０が連設してある。該保持部４０には、給水タンク５が着脱自在に保持される。図１には、取り外された給水タンク５が示されている。該給水タンク５の構成については後述する。
【００２８】
加湿フィルタ３は、高い含水性を有すると共に通気が可能な材料、例えば不織布製のシートであり、後述する通気との接触面積を増すべく蛇腹状に折り重ね、中空円盤形の保持枠３０の内部に収納保持されている。
【００２９】
図３は、加湿フィルタ３の支持構造を示す要部破断正面図、図４は、同じく斜視図である。なお図３、図４中には、加湿フィルタ３の保持枠３０のみを図示してある。加湿フィルタ３は、保持枠３０の下部を貯水皿４の内部に差し込み、図３に示すように、貯水皿４の内部に設けた２つの支持ローラ６、６上に載架されている。支持ローラ６，６は、貯水皿４の長手方向に適長離隔して配してあり、加湿フィルタ３は、両支持ローラ６、６上への保持枠３０の載架により、図３及び図４に示す如く、貯水皿４の上で垂直に立ち上がる姿勢で支持され、支持ローラ６，６の転動により、支持姿勢を保って中心軸周りに回転することができる。
【００３０】
このように支持された加湿フィルタ３は、図１に示すように、ハウジング１の一側面から貯水皿４と共に外部に引き出すことができ、また逆に、貯水皿４と共にハウジング１内に押し込み、該ハウジング１の内部の所定位置にセットすることができる。
【００３１】
保持枠３０の外周面には、図４に示すように、適宜幅のリングギヤ３１が全周に亘って設けてある。このリングギヤ３１は、図２、図３に示すように、隔壁１１に固定支持された駆動モータ７の出力端に取り付けられた駆動ギヤ７０に噛合させてある。駆動ギヤ７０は、駆動モータ７の駆動により加湿フィルタ３の保持枠３０と平行をなす軸周りに回転する。
【００３２】
駆動ギヤ７０とリングギヤ３１との噛合は、加湿フィルタ３がハウジング１の内部に前述の如くセットされた状態で生じる。この噛合により保持枠３０は、貯水皿４の内部の２つの支持ローラ６，６と駆動ギヤ７０とにより３点支持されることとなり、加湿フィルタ３は、駆動モータ７の駆動による駆動ギヤ７０の回転に応じて保持枠３０の中心軸周りに低速度で回転する。支持ローラ６，６は、保持枠３０の回転に応じて転動する従動ローラとして機能し、加湿フィルタ３の回転を阻害しない。
【００３３】
貯水皿４の内部には、図３中にＬとして示す基準水位の水が貯留されている。以上の如く回転する加湿フィルタ３の下部は、貯水皿４の貯留水中に浸漬されており、加湿フィルタ３は、貯留水を吸い上げ、また回転により持ち上げる。これにより貯水皿４の貯留水は、加湿フィルタ３の全体に行き渡り、該加湿フィルタ３に含侵保持される。
【００３４】
このように水を保持する加湿フィルタ３には、ハウジング１内を前述の如く流れる空気が通過する。加湿フィルタ３の保持水は、通気との接触により気化し、加湿フィルタ３の下流側の吐出室１３には、気化水分を含む湿り空気が送り出され、該吐出室１３の末端に開口する送出口１６から送り出される。
【００３５】
図３、図４中には、貯水皿４の一側に連設された保持部４０が示されている。保持部４０の内部には、底板から垂直上向きに押し上げ突起４１が立設されており、該押し上げ突起４１は、側板から内向きに張り出す座板４２により底板から適長離隔した位置で囲われている。また保持部４０は、貯水皿４との連設部に、底板に対して略垂直をなして立設された支え板４３を備えている。
【００３６】
図５は、給水タンク５の正面図、図６は、図５のVI−VI線による給水タンク５の縦断面図である。図示の如く給水タンク５は、軸長方向の両端が閉じられた角筒形の中空容器であり、軸長方向一側の端板には、給水口５０が開設され。該給水口５０には、ねじ込み式の止水蓋５１が取り付けてある。止水蓋５１は、中央に設けた弁座に内側から着座する弁体を備える公知の止水弁５２を内蔵している。止水弁５２の弁体は、止水蓋５１の中央部から外向きに突出する作用端を有しており、該作用端を内向きに押し込むことにより弁座から離れる。
【００３７】
給水タンク５の他側端部には、把手５３が取り付けられている。把手５３は、一側の枢軸を中心として揺動可能であり、給水タンク５の外面に重なる重なり位置と、該重なり位置から略９０°揺動し、給水タンク５の外面から立ち上がる把持位置と、該把持位置から更に略９０°揺動し、重なり位置とは逆向きに延びる支え位置とを実現することができる。図６中には、重なり位置にある把手５３を実線により示し、把持位置及び支え位置にある把手５３を２点鎖線により夫々示してある。
【００３８】
また給水タンク５の一側面には、図５に示すように、円形の凹部５４が設けられ、該凹部５４の底面中央部には、補給水口５５が開設されている。補給水口５５は、ねじ込み式の蓋体５６により開閉可能に覆ってあり、凹部５４の開口周縁部には、弾性材料製のシール環５７（封止部材）が被着されている。更に、給水タンク５の他側面は、図６に示す如く、略全面に亘って外装板５８により覆われている。なお蓋体５６は、ねじ込み式に限らず、例えば、補給水口５５への嵌め合わせにより開閉を実現する構成であってもよい。
【００３９】
以上の如く構成された給水タンク５は、図１及び図３に示す如く、止水蓋５１側を下向きとした倒立姿勢にて保持部４０に着脱される。この着脱は、把持位置に揺動させた把手５３を把持することにより容易に実施し得る。このとき止水蓋５１に内蔵された止水弁５２は、弁体に付設されたバネの付勢力、及び給水タンク５の収容水の自重により下向きに押され、弁座と弁体とが密着した閉状態を保つから給水タンク５の収容水が漏れ出す虞れはない。
【００４０】
図７は、給水タンク５の保持状態の説明図である。給水タンク５は、保持部４０内部の座板４２により止水蓋５１を下側から支え、凹部５４が設けられた一側面を支え板４３により支えて図示の如く保持される。このとき、貯水皿４に立設された押し上げ突起４１は、止水蓋５１の中央部に挿入され、当該位置に突出する止水弁５２の弁体を上向きに押し上げる。この押し上げにより止水弁５２の弁体は弁座から離れ、止水弁５２が開放されて、給水タンク５は保持部４０及び貯水皿４と連通する。
【００４１】
なお、給水タンク５の他側面を覆う外装板５８は、給水タンク５を保持する保持部４０及び貯水皿４をハウジング１内に押し込むことにより、該ハウジング１の外装の一部を形成する。
【００４２】
座板４２による止水蓋５１の支持高さは、貯水皿４内部の基準水位Ｌと一致させてある。給水タンク５の収容水は、貯水皿４の内水位が基準水位Ｌよりも低くなり止水蓋５１との間に隙間が生じたとき、該隙間を通り、開放された止水弁５２を経て導入される空気との置換により保持部４０及び貯水皿４に送り込まれる。以上の動作により貯水皿４の内部には、基準水位Ｌの水を常時貯留させることができる。
【００４３】
給水タンク５の側面を支える支え板４３には、図７に示す如く、凹部５４の周縁に設けられたシール環５７が弾接し、該シール環５７は、凹部５４の内側を液密に封止する作用をなす。給水タンク５は、凹部５４の内側に補給水口５５を有している。この補給水口５５は、蓋体５６により閉止されるが、閉止が不完全であった場合、給水タンク５の収容水は、補給水口５５を経て漏れ出す虞れがある。
【００４４】
シール環５７は、このように生じる漏れ出し水を凹部５４の内部に止め、外部への漏れ出しを防止する機能を果たす。従って、補給水口５５からの漏れ出し水による貯水皿４の内水位の上昇を抑え、貯水皿４の上縁からの溢水を防止することができる。
【００４５】
なおシール環５７は、給水タンク５ではなく支え板４３に設け、凹部５４の周縁部に弾接させてシール機能を果たす構成としてもよい。この構成においても補給水口５５からの漏れ出し水をシール環５７の作用により凹部５４の内部に止めることができる。
【００４６】
給水タンク５の収容水は、保持部４０及び貯水皿４への送り出しにより徐々に減少する。収容水減少した場合、使用者は、保持部４０から給水タンク５を取外して持ち運び、収容水を補給する。給水タンク５の取外しは、図１に示す如く、ハウジング１の外部に貯水皿４を引き出し、前述の如く、把持位置に揺動させた把手５３を把持して上方に引き上げることにより実施される。
【００４７】
図８及び図９は、給水タンク５への水の補給方法の説明図である。図８は、給水源となる蛇口９から離れた位置に平坦な支持面８（例えば、台所のシンクの底面）を確保できる給水箇所での給水方法を示しており、この場合、蛇口９の給水端と支持面８との離隔距離に応じて異なる補給方法を採用することができる。
【００４８】
蛇口９の給水端と支持面８との離隔距離Ｈ１が大きい場合、給水タンク５は、図８Ａに示す如く、止水蓋５１を取り外した給水口５０を上向きとし、支持面８上に起立させた縦姿勢で支持し、給水口５０に対向させた蛇口９からの放出水を給水タンク５に補給する。このとき、把手５３を前述した支え位置に揺動させることにより、該把手５３が支持部材として機能し、支持面８への当接面積が大きくなって安定した支持状態での水補給が可能となる。
【００４９】
一方、蛇口９の給水端と支持面８との離隔距離Ｈ２が小さい場合、給水タンク５は、図８Ｂに示す如く、蓋体５６を取り外した補給水口５５を上向きとした横姿勢にて支持し、この状態で給水口５０に対向させた蛇口９からの放出水を補給することができる。
【００５０】
なおこのとき、把手５３を伸長可能とし、前述した重なり位置に揺動させて伸長させることにより、図８Ｃに示す如く、把手５３を支持脚とした斜め姿勢で支持することも可能である。これにより、支持面８との接触による外装板５８（図１、図６参照）の損傷及び水濡れを防止することができる。
【００５１】
図９は、洗面所の洗面ボウル８０を利用する場合の給水方法を示している。この場合、給水タンク５は、蓋体５６を取り外した補給水口５５を上向きとし、洗面ボウル８０の底部及び縁部間に斜めに立てかけた状態で支持することにより、補給水口５５に対向させた蛇口９からの放出水を補給することができる。このように、補給水口５５を設けたことにより、種々の使用状況下での給水タンク５への水補給を安定して実施することが可能である。
【００５２】
図１０は、参考形態１の加湿器における給水タンク５の保持状態の説明図であり、実施の形態の図７に対応する。図示の給水タンク５は、軸長方向の一端部に止水蓋５１により覆われた給水口を備え、また側面に設けた凹部５４内に蓋体５６により覆われた補給水口を備えている。
【００５３】
給水タンク５の補給水口は、実施の形態よりも下（給水口の近く）に配置されている。また凹部５４の周縁にはシール環５７が設けられておらず、給水タンク５は、支え板４３に側面を直接当接させて支えられている。更に保持部４０及び貯水皿４は、側壁を高くし、基準水位Ｌよりも高い最高水位Ｌ1 の水の貯留が可能としてあり、補給水口は、最高水位Ｌ1 よりも下位置に設けてある。
【００５４】
この参考形態１においては、蓋体５６による閉止が不完全であり、給水タンク５の収容水が補給水口を経て漏れ出した場合、シール環５７が設けられていないことから、漏れ出し水は保持部４０及び貯水皿４に流れ込むが、最大水位Ｌ1 に達する前に補給水口が水中に没することで漏れ出しを防止することができる。
【００５５】
この参考形態１においても、実施の形態と同様に、給水タンク５への水補給を給水口及び補給水口を利用して種々の形態で実施することができる。
【００５６】
図１１は、参考形態２の加湿器における給水タンク５の保持状態の説明図であり、実施の形態の図７に対応する。図示の給水タンク５は、軸長方向の一端側の角部を斜めにカットし、端面及び側面の夫々に対して傾斜する傾斜部５９が設けられており、この傾斜部５９に止水蓋５１により覆われた給水口５０（図１２参照）が開設されている。
【００５７】
この給水タンク５は、図１１Ａに示す如く、保持部４０に設けた座板４４により端面を支え、前述した支え板４３により側面を支えて保持されている。一方、貯水皿４には、底面に対して斜めに立ち上がる押し上げ突起４１が設けてあり、この押し上げ突起４１により止水蓋５１に内蔵された止水弁を開放し、給水タンク５の収容水を保持部４０及び貯水皿４に導入するように構成されている。
【００５８】
なお座板４４は、図１１Ｂに示す如く、支え板４３に対して接離する向きに傾倒可能であり、給水タンク５は、傾倒させた座板４４に載置した後、図１１Ｂ中に白抜矢符により示す如く、座板４４と共に支え板４３に近付けくように揺動させて、図１１Ａに示す如く装着される。押し上げ突起４１の傾斜角度は、給水タンク５の揺動経路の途中で止水蓋５１の中央部に挿入され得るように設定されている。
【００５９】
図１２は、参考形態２の給水タンク５への水の補給方法の説明図である。この給水タンク５への水補給は、蛇口９と支持面８との離隔距離に応じて異なる形態で実施することができる。
【００６０】
蛇口９と支持面８との離隔距離が大きい場合、給水タンク５への水補給は、図１２Ａに示す如く、止水蓋５１を取り外した給水口５０を斜め上向きとし、支持面８上に前述した縦姿勢で支持して実施される。一方、蛇口９と支持面８との離隔距離が小さい場合、給水タンク５への水補給は、図１２Ｂに示す如く、給水口５０を斜め上向きとし、支持面８上に前述した横姿勢で支持して実施される。
【００６１】
給水口５０は、傾斜部５９に開設されているから、図１２Ａ，Ｂのいずれにおいても蛇口９に対向させることができ、該蛇口９からの放出水は、給水口５０を経て給水タンク５内に補給される。なお傾斜部５９の傾斜角度は、給水タンク５の端面及び側面に対して夫々４５°とするのが望ましいが、他の角度であってもよい。
【００６２】
加湿器は、水を貯留する貯水皿（４）と、該貯水皿（４）の貯留水を含侵し、通気中に放出する加湿フィルタ（３）と、軸長方向一側の端部に設けた給水口（５０）を下向きとして前記貯水皿（４）に連設された保持部（４０）に保持され、前記貯水皿（４）に収容水を送り込む筒形の給水タンク（５）とを備える加湿器において、前記給水タンク（５）の側面に設けた凹部（５４）の底面に開設された補給水口（５５）と、該補給水口を開閉する蓋体（５６）と、前記凹部（５４）の開口周縁部を前記保持部（４０）との間で液密に封止する封止部材（５７）とを備えている。
【００６３】
筒状をなす給水タンクは、一側の端面に設けた給水口と、側面に設けた補給水口を備えており、給水口を上向きとした縦姿勢又は補給水口を上向きとした横姿勢若しくは斜め横姿勢で安定して支持することができ、給水源となる蛇口の位置、支持面の形状の如何に拘わらず給水口又は補給水口を蛇口に対向させ、水補給を容易に実施することができる。
【００６５】
補給水口を開閉する蓋体の閉止が不完全であった場合、補給水口からの漏れ出し水が生じる。この漏れ出し水は、封止部材により凹部内に止められ、漏れ出し水の流入による貯水皿の内水位の上昇を抑え、溢水を防止することができる。
【００７０】
前記給水タンク（５）は、他側端部に揺動可能に取り付けてあり、該他側端部を下とする縦姿勢及び前記側面を上とする横姿勢での支持脚を兼ねる把手（５３）を備えている。      
【００７１】
給水タンクは、支持部材を兼用する把手を備えており、この把手を利用することにより、縦姿勢及び横姿勢での安定した支持が可能となる。
【００７２】
なお、今回開示された実施の形態は、すべての点で例示であって制限的なものではないと考えられるべきである。本発明の範囲は、上記した意味ではなく、特許請求の範囲によって示され、特許請求の範囲と均等な意味および範囲内でのすべての変更が含まれることが意図される。
【符号の説明】
【００７３】
３    加湿フィルタ
４    貯水皿
５    給水タンク
４０  保持部
５０  給水口
５３  把手
５４  凹部
５５  補給水口
５６  蓋体
５７  シール環（封止部材）
５９  傾斜部
【図１】
0006607807.tif 000002
【図２】
0006607807.tif 000003
【図３】
0006607807.tif 000004
【図４】
0006607807.tif 000005
【図５】
0006607807.tif 000006
【図６】
0006607807.tif 000007
【図７】
0006607807.tif 000008
【図８】
0006607807.tif 000009
【図９】
0006607807.tif 000010
【図１０】
0006607807.tif 000011
【図１１】
0006607807.tif 000012
【図１２】
0006607807.tif 000013